(57)【要約】【課題】  芳香剤を一定量噴出するように、エアゾールバルブを常時開放するとともに、ノズルステムから連続噴出される芳香剤の吐出量を抑えることによって、長時間継続して芳香剤を放散させるようにした芳香剤容器を提供すること。【解決手段】  芳香剤容器として、芳香剤を収納し、バルブを開閉するステムを具えたエアゾール容器と、ステム係合筒を具え、吸収体を具えた吸着揮散体とからなる芳香剤容器であって、ステム係合筒が、ステムに連通する噴出孔を設け、微細な通路を形成した多孔体を取着していることを特徴とする。【選択図】  図１
2006333968.tif 000002
【特許請求の範囲】
【請求項１】
芳香剤を収納し、バルブを開閉するステムを具えたエアゾール容器と、ステム係合筒を具え、吸収体を具えた吸着揮散体とからなる芳香剤容器であって、
ステム係合筒が、ステムに連通する噴出孔を設け、微細な通路を形成した多孔体を取着していることを特徴とする芳香剤容器。
【請求項２】
芳香剤を収納し、バルブを開閉するステムを具えたエアゾール容器と、
エアゾール容器を倒立させて支持し、ねじを螺設した取付筒を具えた容器支持枠と、
前記取付筒に螺着される取付筒と微細な通路を形成する多孔体を取着したステム係合筒を具え、吸収体を保持させた吸着揮散体と、
外周壁に放散孔が穿孔され、吸着揮散体を廻動自在に支持する容器支持体とからなることを特徴とする芳香剤容器。
【請求項３】
芳香剤を収納し、バルブを開閉するステムを具えたエアゾール容器と、吸着揮散体とからなる芳香剤容器であって、
エアゾール容器のマウンティンカップに、ねじを螺設した取付筒を立設したジョイントを取着し、
吸着揮散体の上壁に、多孔体を具えたステム係合筒とジョイントの取付筒に螺合する取付筒を垂設し、上壁上面に吸収体を載置しており、
上記吸収体を覆い、放散孔を穿設した蓋体を吸着揮散体に被嵌したことを特徴とする芳香剤容器。
【請求項４】
芳香剤を収納し、バルブを開閉するステムを具えたエアゾール容器と、エアゾール容器のマウンティンカップに取着され、操作片を具えた操作部材と、上壁と側周壁を具えたケース本体とを具備した芳香剤容器であって、
上記上壁は、下面にエアゾール容器のステムに係合するステム係合筒を垂設し、
上面に閉鎖部材を嵌合し、微細な間隙を形成した通気筒を立設しており、
前記側周壁は、操作部材の操作片と係合する傾斜面を設けた窓枠が穿設されていることを特徴とする芳香剤容器。
【請求項５】
通気筒の上面に揮散皿を配置し、放散孔を穿設した蓋体を被嵌したことを特徴とする請求項４記載の芳香剤容器。
【請求項６】
バルブを開閉するステムを具えたエアゾール型の容器と、
容器を保持し、ねじを螺設した取付筒を垂設した支持枠と、
前記取付筒に螺着される取付筒とステム係合筒を具え、揮散紙を載置した吸着揮散体とを具備していることを特徴とする芳香剤容器。
【請求項７】
前記ステム係合筒が、円錐台上端に立設され、筒底部に微細な連通孔を穿設し、該連通孔を通じて、揮散紙に芳香剤を送るようにしたことを特徴とする請求項６記載の芳香剤容器。
【発明の詳細な説明】
【技術分野】
【０００１】
本発明は、芳香剤容器、とくにエアゾール容器の吐出量を抑え、芳香を長時間持続させるようにした芳香剤容器に関するものである。
【背景技術】
【０００２】
芳香剤を充填したエアゾール容器から、芳香剤を噴出させ、芳香剤を揮散させるようにした芳香剤容器は、従来より知られている（例えば、特許文献１、特許文献２参照）。
【特許文献１】実公昭４４−１９９５７号公報
【特許文献２】特開平１１−３２１９５１号公報
【発明の開示】
【発明が解決しようとする課題】
【０００３】
前記特許文献１記載のエアゾール容器では、エアゾール容器（１０）の蓋（１２）の上から押ボタン（２２）を押すことによって、エアゾール容器（１０）から芳香液等の撒布剤を、多孔質吸収性材料に形成された分散器（３０）に吸着させ、閉蓋（１２）の孔（２４）、（２６）から大気中に放散させるようにしている。
しかし、芳香液等が、分散器（３０）から放散し終わったときには、その都度、押ボタン（２２）を押圧しなければならず、常に、定量の芳香液を、長時間にわたって放散させることができないという問題があった。
【０００４】
前記特許文献２記載のエアゾール容器では、エアゾールボタン（２０）を押下げて、エアゾール容器内の芳香液を、キャップ（３０）に設けた噴射ノズル（３３）から噴射するとともに、吸着蒸散体（４０）に噴射させ、吸着蒸散体（４０）に吸着させた芳香液を持続的に蒸散させるようにしている。
しかしながら、噴射ノズル（３３）からの直接噴射と、吸着蒸散体（４０）への吸着とにエアゾール容器からの噴出量は二分されるので、吸着蒸散体（４０）の吸着量は多くなく、芳香液を長時間にわたって蒸散させることはできなかった。
【０００５】
本発明は、上記問題点を解決することを課題として、芳香剤を一定量噴出するように、エアゾールバルブを常時開放するとともに、ノズルステムから連続噴出される芳香剤の吐出量を抑えることによって、長時間継続して芳香剤を放散させるようにした芳香剤容器を提供することを目的とする。
【課題を解決するための手段】
【０００６】
本発明は、上記の課題を解決するため、芳香剤容器として、芳香剤を収納し、バルブを開閉するステムを具えたエアゾール容器と、ステム係合筒を具え、吸収体を具えた吸着揮散体とからなる芳香剤容器であって、ステム係合筒が、ステムに連通する噴出孔を設け、微細な通路を形成した多孔体を取着していることを特徴とする構成を採用する。
【０００７】
芳香剤容器の実施例として、芳香剤を収納し、バルブを開閉するステムを具えたエアゾール容器と、エアゾール容器を倒立させて支持し、ねじを螺設した取付筒を具えた容器支持枠と、前記取付筒に螺着される取付筒と微細な通路を形成する多孔体を取着したステム係合筒を具え、吸収体を保持させた吸着揮散体と、外周壁に放散孔が穿孔され、吸着揮散体を廻動自在に支持する容器支持体とからなることを特徴とする構成を採用する。
【０００８】
芳香剤容器の他の実施例として、芳香剤を収納し、バルブを開閉するステムを具えたエアゾール容器と、吸着揮散体とからなる芳香剤容器であって、エアゾール容器のマウンティンカップに、ねじを螺設した取付筒を立設したジョイントを取着し、吸着揮散体の上壁に、多孔体を具えたステム係合筒とジョイントの取付筒に螺合する取付筒を垂設し、上壁上面に吸収体を載置しており、上記吸収体を覆い、放散孔を穿設した蓋体を吸着揮散体に被嵌したことを特徴とする構成を採用する。
【０００９】
芳香剤容器の他の実施例として、芳香剤を収納し、バルブを開閉するステムを具えたエアゾール容器と、エアゾール容器のマウンティンカップに取着され、操作片を具えた操作部材と、上壁と側周壁を具えたケース本体とを具備した芳香剤容器であって、上記上壁は、下面にエアゾール容器のステムに係合するステム係合筒を垂設し、上面に閉鎖部材を嵌合し、微細な間隙を形成した通気筒を立設しており、前記側周壁は、操作部材の操作片と係合する傾斜面を設けた窓枠が穿設されていることを特徴とする構成を採用し、上記構成に付加して、通気筒の上面に揮散皿を配置し、放散孔を穿設した蓋体を被嵌したことを特徴とする構成を採用する。
【００１０】
芳香剤容器の他の実施例として、バルブを開閉するステムを具えたエアゾール型の容器と、容器を保持し、ねじを螺設した取付筒を垂設した支持枠と、前記取付筒に螺着される取付筒とステム係合筒を具え、揮散紙を載置した吸着揮散体とを具備していることを特徴とする構成を採用し、上記構成に付加して、前記ステム係合筒が、円錐台上端に立設され、筒底部に微細な連通孔を穿設し、該連通孔を通じて、揮散紙に芳香剤を送るようにしたことを特徴とする構成を採用する。
【発明の効果】
【００１１】
エアゾール容器のバルブを連続的に開状態としても、芳香剤を多孔体を通じて噴出するので、噴出量が抑えられ、少量の芳香剤を吐出することができ、芳香を長期間持続させることができた。
エアゾール容器のバルブの開閉がエアゾール容器の廻動、または、吸着揮散体の廻動によって簡単にできるようになった。
【発明を実施するための最良の形態】
【００１２】
次に、本発明の芳香剤容器の実施形態について、実施例をあげ、図面を参照して説明する。
【実施例１】
【００１３】
図１において、Ａはエアゾール容器、Ｂは容器支持体、Ｃは吸着揮散体である。
エアゾール容器Ａは、芳香剤を収納した胴部１と、ステム２を突設したマウンティンカップ３とを具えており、胴部１の上部（図では下方）には、段部４が形成され、複数の凹部５が設けられている。
エアゾール容器Ａは、金属、またはＰＥＴ樹脂を素材として成形されている。
【００１４】
図１、２に示すように、容器支持体Ｂは、末広がり状の側周壁６と、容器支持枠７とからなり、側周壁６は、上部円筒部８と、放散孔９を等間隔に穿孔した末広がり状の周壁１０、および下部円筒部１１とを具えている。
【００１５】
容器支持枠７は、前記上部円筒部８の下端部から内方に連設された環状の支持板１２と、支持板１２の内周縁から垂設された円筒周壁１３とを具えている。
円筒周壁１３の内周には、エアゾール容器Ａの段部４に設けられた凹部５に係合する複数の凸条１４が設けられ、下端には、環状板１５が内方に連設されている。
環状板１５の内端部から、上方に膨出環を設けたエアゾール容器Ａの挟持筒１６が立設され、その下方には、内周にねじ１７を螺設した取付筒１８が垂設されている。
【００１６】
吸着揮散体Ｃは、取付体２０と、該取付体２０に保持された芳香剤の吸収皿２１とを具えている。
取付体２０は、上壁２２と側周壁２３を具えており、上壁２２の中央には、ステム係合筒２４が立設されている。
ステム係合筒２４の外側には、外周にねじ２５を螺設した取付筒２６が立設されており、その外側の上壁２２面には、複数の連通孔２７が穿孔されている。
【００１７】
前記ステム係合筒２４の中間部には、噴出孔２８を穿孔した隔板２９が設けられ、隔板２９の下方には、連続発泡体、人造皮革、ポリテトラフルオロエレンの焼結体、その他によって形成された多孔体３０が嵌挿されている。
側周壁２３の下部は拡径され、外周面にローレットを刻設した操作輪３１となっている。
【００１８】
吸収皿２１は、底壁３２と、側周壁３３とからなり、内部には、天然繊維、合成繊維の布帛、連続発泡体などの多孔質吸収材料で形成された吸収体３４が収納されている。
側周壁３３下端には、フランジ３５が設けられ、側周壁３３の外周は、側周壁２３内周に嵌合され、フランジ３５は、側周壁２３下端の段部に係合されている。
【００１９】
次に、本実施例の芳香剤容器の作用効果について説明する。
まず、容器の組立については、エアゾール容器Ａを、マウンティンカップ３を下にして、段部４を容器支持枠７の支持板１２に載置し、段部４の凹部５と円筒周壁１３の凸条１４を係合させ、マウンティンカップ３を挟持筒１６で支持させる。
次いで、吸着揮散部材Ｃを下方から挿入し、操作輪３１を廻動して、取付筒２６を容器支持枠７の取付筒１８に螺着していくと、本発明の芳香剤容器を得ることができる。
【００２０】
使用にあたっては、吸着揮散体Ｃを操作輪３１を廻動して上昇させ、取付筒２６を取付筒１８にねじ込むと、ステム２が押上げられ、エアゾール容器Ａのバルブが開かれ、エアゾール容器Ａ内の芳香剤が噴出される。
噴出された芳香剤は、ステム係合筒２４の多孔体３０内を通過して滴下され、吸収体３４に吸着される。
【００２１】
吸収体３４に滴下された芳香剤は、吸着揮散体Ｃから揮散され、連通孔２７、放散孔９を通って大気中に放散される。
その際、ステム２から噴出された芳香剤は、多孔体３０内を通過することによって噴出量が制限されるので、芳香剤の滴下は、少量に抑えられ、バルブの連続開状態で、長期にわたって（実施例では、約１ヶ月程度）、芳香を放散させることができるようになった。
【００２２】
芳香の放散の不要なときには、吸着揮散体Ｃを廻動し、ステム係合筒２４を下降させることでバルブを閉じることができるので、操作がきわめて簡単になった。
また、使用中においては、エアゾール容器Ａを支持する容器支持体Ｂは、吸着揮散体Ｃに載置されるので、所要の台板上に安定して載置することができる。
【実施例２】
【００２３】
次に、エアゾール容器を正立とし、上方に吸収揮散体Ｃを取着した第２実施例について説明する。
図３において、Ａａはエアゾール容器、Ｃａは吸着揮散体である。
エアゾール容器Ａａは、第１実施例と同様に、芳香剤を収納した胴部１ａと、ステム２ａを突設したマウンティンカップ３ａとを具えており、胴部１ａの上部には段部４ａが形成されている。
【００２４】
図３、４に示すように、段部４ａの所定の位置には凸条４０が複数個立設されており、エアゾール容器Ａａのマウンティンカップ３ａには、ジョイント４１が取着されている。
ジョイント４１は、上壁４２と、側周壁４３、凸条４０を覆う拡径部４４とを具えており、拡径部４４内周には、凸条４０と係合する位置決め凹部４５が設けられている。
上壁４２の下面には、マウンティンカップ３ａに係合する下端に膨出部を設けた挟持筒４６が垂設され、その上方には、内周に、ねじ４７を螺設した取付筒４８が立設されている。
【００２５】
吸着揮散体Ｃａは、上壁５０と、側周壁５１とを具えている。
上壁５０には、中央に噴出孔５２を穿孔した隔壁を設けたステム係合筒５３が垂設されており、その外側には、外周にねじ５４を螺設した取付筒５５が垂設されている。
上壁５０上面の周縁近くには、吸収体の保持筒５６が立設され、その内部には吸収体５７が保持されており、前記ステム係合筒５３の内部には、多孔体５８が挿入されている。
【００２６】
保持筒５６には、複数の放散孔５９を設けた頂壁６０と、側周壁６１とからなる蓋６２が被嵌されており、側周壁６１内周は、保持筒５６の外周に嵌合されている。
側周壁５１の上部内周には、ジョイント４１の側周壁４３外周に係合する係止筒６３が上壁５０周縁部から垂設されており、側周壁５１と係止筒６３との間には、連結リブ６４が架設されている。
側周壁５１の下方は、末広がり状となっている。
【００２７】
次に、本実施例の芳香剤容器の作用効果について説明する。
容器の組立は、エアゾール容器Ａａを正立させ、その上方から吸着揮散体Ｃａを被嵌し、取付筒５５をジョイント４１の取付筒４８に螺着する。
【００２８】
使用にあたっては、吸着揮散体Ｃａを廻動して取付筒５５を取付筒４８にねじ込むと、ステム係合筒５３がステム２ａを押下げ、エアゾール容器Ａａのバルブが開かれ、芳香剤が噴射される。
噴射した芳香剤は、多孔体５８によって噴出量が抑えられて吸収体５７に吸着され、放散孔５９から大気中に放散される。
【００２９】
第１実施例と同様に、バルブの連続開放状態としても噴出量が少量となり、長期間にわたって芳香剤を放散することができる。
また、バルブの開閉も、エアゾール容器Ａａに対して吸着揮散体Ｃｃを廻動することによって、きわめて容易にできる。
【実施例３】
【００３０】
次に、多孔体に変え、通気溝を形成した第３実施例について説明する。
図５において、Ａｂはエアゾール容器、Ｄはケース本体である。
エアゾール容器Ａｂは、胴部１ｂとステム２ｂを取着したマウンティンカップ３ｂとを具えている。
【００３１】
マウンティンカップ３ｂには、操作部材７０が取着されており、該操作部材７０は、下端に膨出部を設けた取付筒７１とフランジ７２、フランジ７２から連杆７３を介して下方に連設された円形の操作片７４とから構成されている。
操作片７４は、段部７５が設けられ、後述するケース本体Ｄの窓枠に係合されるようになっている。
【００３２】
ケース本体Ｄは、上壁７６と、末広がり状の側周壁７７とを具えており、上壁７６の中央には、噴出孔７８が穿孔され、その外側には、ステム係合筒７９が垂設されている。
上壁７６の上面には、通気筒８０が立設され、上壁７６周縁には、上下に延びる保持筒８１が連設され、その下端は、段部８２となっており、その下方は、側周壁７７となっている。
【００３３】
通気筒８０の内周には、閉鎖部材８３が嵌合され、上壁７６上面、通気筒８０内周との間に微細な間隙が形成され、通気溝８４となっている。
保持筒８１には、揮散皿８５が載置されており、該揮散皿８５は、環状の底板８６と側周壁８７とを具えている。
底板８６の下面には、保持筒８１内周に係合する嵌合筒８８が垂設され、底板８６の上面には、吸収体８９が嵌挿されている。
【００３４】
図５、６に示すように、揮散皿８５の上面には、吸収体８９を覆うように、蓋体９０が被嵌されており、該蓋体９０は、複数の放散孔９１を設けた頂壁９２と、下端内周に膨出部９３が設けられ、段部８２に当接する側周壁９４とからなっている。
【００３５】
ケース本体Ｄの側周壁７７には、下辺を傾斜面９５とした窓枠９６が穿設され、該窓枠９６には、操作片７４が挿入され、段部７５が傾斜面９５に係合するようになっている。
【００３６】
次に、本実施例の芳香剤容器の作用効果について説明する。
エアゾール容器Ａｂのケース本体Ｄへの取着は、ケース本体Ｄの底から窓枠９６の左側と操作片７４がほぼ一致するように位置させ、押上げていくと、操作片７４は側周壁７７に押されて屈曲し、窓枠９６中に位置したときに復元し、段部７５が傾斜面９５左側に係合する。
【００３７】
使用にあたって、操作片７４を右方に廻動させると、エアゾール容器Ａｂとともに操作片７４が傾斜面９５に沿って上昇し、ステム２ｂがステム係合筒７９によって押下げられ、エアゾール容器Ａｂのバルブが開かれる。
【００３８】
ステム２ｂから噴射された芳香剤は、細い間隙によって形成された通気溝８４を通過して吸収体８９に吸着される。
通気溝８４によって噴出が抑えられ、少量の芳香剤が吸収体８９に吸着し、揮散されるので、前記各実施例と同様に長期にわたって芳香を大気中に放散することができる。
芳香を中止するときには、操作片７４を元の位置に戻すと、バルブが閉じられる。
【００３９】
また、使用後にエアゾール容器を取外す場合には、操作片７４を内方に押圧すると、段部７５と傾斜面９５との係合が外れ、エアゾール容器Ａｂを下方に引張ると、簡単に取外すことができ、新しいエアゾール容器と交換することができる。
【実施例４】
【００４０】
次に、噴射剤を充填しないエアゾール型の容器を用いた実施例について説明する。
図７において、Ａｃはエアゾール型の容器、Ｂｃは容器支持体、Ｃｃは吸着揮散体である。
容器Ａｃは、胴部１ｃとステム２ｃを取着したマウンティンカップ３ｃとを具えており、胴部１ｃ内に芳香剤が収納されている。
しかし、噴射剤を充填していないので、芳香剤はステム２ｃを押下げてバルブを開いたときに、自重によって滴下するようになっている。
【００４１】
容器支持体Ｂｃは、末広がり状の側周壁１００と、容器支持枠１０１とを具えており、側周壁１００には、複数の放散孔１０２が穿孔されている。
容器支持枠１０１は、容器抱持部１０３と、その下端から下方に延びる筒壁１０４を具えており、筒壁１０４の下端には、内方に延びる環状板１０５が連設されている。
環状板１０５の上面には、上端に膨出部を設けた挟持筒１０６が立設され、環状板１０５下面には、内周にねじを螺設した取付筒１０７が垂設され、内周縁から係合筒１０８が垂設されている。
【００４２】
吸着揮散体Ｃｃは、上端にステム係合筒１１０を立設し、周縁に取付筒１１１を立設した円錐台１１２と底板１１３、該底板１１３の周縁に連設され、段部１１４を設けた側周壁１１５とを具えている。
ステム係合筒１１０の底部には、複数の微細孔１１６が穿孔されており、円錐台１１２の上面には、微細孔１１６に続く溝が穿設されている。
【００４３】
取付筒１１１の外周面には、取付筒１０７のねじに螺合するねじが螺設されており、底部には、溝に続く連通孔１１７が穿孔されている。
底板１１３の上面には、揮散紙１１８が載置されている。
【００４４】
次に、本実施例の芳香剤容器の作用効果について説明する。
芳香剤容器の組立は、容器Ａｃのマウンティンカップ３ｃを挟持筒１０６に取着し、取付筒１０７に、取付筒１１１を螺合させることによって組立てられる。
【００４５】
使用にあたって、吸着揮散体Ｃｃを廻動させて取付筒１１１を上昇させ、ステム係合筒１１０によってステム２ｃを押上げると、容器Ａｃのバルブが開かれ、芳香剤が注出される。
注出された芳香液は、ステム係合筒１１０の微細孔１１６によって注出が抑えられ、少量の芳香剤が連通孔１１７を通過して、揮散紙１１８に送られる。
本実施例においても、前実施例と同様に、長期にわたって芳香を持続させることができる。
【実施例５】
【００４６】
次に、ステムからの吐出量を抑えることをしない第５実施例について説明する。
本実施例は、第４実施例において、ステム係合筒に設けた噴出孔から、揮散紙上に直接滴下させるようにしたもので、同一の構成については、説明を省略し、以下、相違点を中心に説明する。
【００４７】
図８において、Ａｄは前記第４実施例と同じエアゾール容器、Ｂｄは容器支持体、Ｃｄは吸着揮散体である。
ステム２ｄを具えたエアゾール容器Ａｄのマウンティンカップ３ｄには、ジョイント１２０が取付けられ、ジョイント１２０の下方は、内周にねじを螺設した取付筒１２１となっている。  
【００４８】
容器支持体Ｂｄの支持枠は、容器把持部１２２と、筒壁１２３とからなり、筒壁１２３の下端部には、内方に広がる環状板１２４が連設されている。
環状板１２４の上面には、前記取付筒１２１に螺合される取付筒１２５が立設され、内縁には、噴出口を設けたステム係合筒１２６が立設されている。  
【００４９】
吸着揮散体Ｃｄの底板１２７上は、揮散紙１２８が載置されている。
【００５０】
本実施例では、エアゾール容器Ａｄを廻動させ、ジョイント１２０の取付筒１２１を取付筒１２５にねじ込んでいくと、ステム係合筒１２６によってステム２ｄが押上げられ、エアゾール容器Ａｄのバルブが開かれる。
芳香剤は、噴出孔から吐出されて揮散紙１２８上に滴下され、芳香が、容器支持体Ｂｄの放散孔より大気中に放散される。  
【００５１】
本実施例にあたっては、エアゾール容器から注出量が少ない場合には、長期に芳香が持続され、第４実施形態と同等の効果を得ることができる。
【産業上の利用可能性】
【００５２】
エアゾール容器からの芳香剤の噴射を多孔体を通じて抑えたことによって、長期間連続して芳香を放散できる。
また、エアゾール容器、または吸着揮散体を廻動するだけでエアゾールバルブを開閉できるので、操作がきわめて簡易になり、一層広く利用できるようになった。
【図面の簡単な説明】
【００５３】
【図１】本発明第１実施例の芳香剤容器の一部断面立面図である。
【図２】芳香剤容器の分解説明図である。
【図３】第２実施例の芳香剤容器の一部断面立面図である。
【図４】芳香剤容器の分解説明図である。
【図５】第３実施例の芳香剤容器の一部断面立面図である。
【図６】芳香剤容器の説明図で、（ａ）は上面図、（ｂ）は側面図である。
【図７】第４実施例の芳香剤容器の一部断面立面図である。
【図８】第５実施例の芳香剤容器の一部断面立面図である。
【符号の説明】
【００５４】
Ａ、Ａａ、Ａｂ、Ａｄ  エアゾール容器
Ａｃ                  エアゾール型の容器
Ｂ、Ｂｃ、Ｂｄ        容器支持体
Ｃ、Ｃａ、Ｃｃ、Ｃｄ  吸着揮散体
Ｄ                    ケース本体
１、１ａ、１ｂ、１ｃ  胴部
２、２ａ、２ｂ、２ｃ、２ｄ  ステム
３、３ａ、３ｂ、３ｃ、３ｄ  マウンティンカップ
４、４ａ、７５、８２、１１４  段部
５                    凹部
６、２３、３３、４３、５１、６１、７７、８７、９４、１００、１１５  側周壁
７、１０１        容器支持枠
８                上部円筒部
９、５９          放散孔
１０              周壁
１１              下部円筒部
１２              支持板
１３              円筒周壁
１４、４０        凸条
１５、１０５、１２４  環状板
１６、４６        挟持筒
１７、２５、４７、５４、１０８、１１９  ねじ
１８、２６、４８、５５、７１、１０７、１１１  取付筒 
２０、１２１、１２５  取付体
２１              吸収皿
２２、４２、５０、７６  上壁
２４、５３、７９、１１０、１２６  ステム係合筒
２７、２８、１１７  連通孔
２９              隔板
３０、５８        多孔体
３１              操作輪
３２              底壁
３４              吸収体
３５、７２        フランジ
４１、１２０      ジョイント
４４              拡径部
４５              位置決め凹部
５２、７８        噴出孔
５６、８１        保持筒
５７、８９        吸収体
６０、９２        頂壁
６２、９０        蓋体
６３              係止筒
６４              連結リブ
７０              操作部材
７１、９３        膨出部
７３              連杆
７４              操作片
８０              通気筒
８３              閉鎖部材
８４              通気溝
８５              揮散皿
８６、１１３、１２７  底板
８８              嵌合筒
９１、１０２      放散孔
９５              傾斜面
９６              窓枠
１０１            容器支持枠
１０３、１２２    容器抱持部
１０４、１２３    筒壁
１０６            挟持筒
１０８            係合筒
１１２            円錐台
１１６            微細孔
１１８、１２８    揮散紙
【図１】
2006333968.tif 000003
【図２】
2006333968.tif 000004
【図３】
2006333968.tif 000005
【図４】
2006333968.tif 000006
【図５】
2006333968.tif 000007
【図６】
2006333968.tif 000008
【図７】
2006333968.tif 000009
【図８】
2006333968.tif 000010